(57)【特許請求の範囲】
【請求項１】
情報端末と接続され、通信すべき情報を多重化しＡＴＭネットワークを介して伝送するためのＡＴＭ多重化装置において、
前記情報端末とのインターフェースを行うインターフェース部と、
前記情報端末からの情報を多重化する多重化部と、
前記多重化部での輻輳状態を検出する輻輳状態検出部と、
前記輻輳状態検出部で検出された輻輳状態を示す信号を生成して、前記インターフェース部へ出力する輻輳信号通知部とを備え、
前記インターフェース部は、前記輻輳状態を示す信号を受け入れて、該信号が示す輻輳状態に応じて、前記情報端末に対する輻輳制御を実施すること
を特徴とするＡＴＭ多重化装置。
【請求項２】
請求項１に記載のＡＴＭ多重化装置において、
前記インターフェース部および前記多重化部の制御を行う主制御部をさらに備えるものであって、
前記情報端末とは、フレームリレー端末を少なくとも含む複数の情報端末であり、
前記インターフェース部は、前記複数の情報端末の各々に対応して設けられた、前記フレームリレー端末とのインターフェースを行うフレームリレーインターフェース部を少なくとも含む複数のインターフェース部であり、
前記輻輳状態検出部は、前記多重化部に含まれているデータ蓄積媒体の輻輳状態を検出し、
前記輻輳信号通知部は、前記輻輳状態を示す信号を、前記主制御部を介することなく前記フレームリレーインタフェース部へ直接出力すること
を特徴とするＡＴＭ多重化装置。
【請求項３】
情報を多重化して伝送するＡＴＭ多重化装置での輻輳通知方法において、
フレームリレーインタフェースの輻輳制御を行うために、当該ＡＴＭ多重化装置内に設けられた多重化部のデータ蓄積媒体の輻輳状態を示す信号を生成し、該生成した信号をフレームリレー端末とのインタフェース部にリアルタイムで出力すること
を特徴とする輻輳通知方法。
【発明の詳細な説明】
【０００１】
【発明の属する技術分野】
本発明は、ＡＴＭ技術を用い、音声やさまざまな形式のデータを多重化して伝送するＡＴＭ多重化装置、およびその装置で用いられる輻輳通知方法に関する。
【０００２】
【従来の技術】
従来のＡＴＭ多重化装置は、フレームリレー端末やデータ端末等の各種端末とＡＴＭネットワーク１との間に配置されるもので、各端末とのインターフェースを行うインターフェース部と、端末から送信されるべきデータの多重化を行う多重化部と、インターフェース部および多重化部の動作を制御する主制御部とを少なくとも備えて構成されている。
【０００３】
従来のＡＴＭ多重化装置において、多重化部のデータ蓄積媒体の輻輳状態は当該ＡＴＭ多重化装置の主制御部で監視され、監視結果に基づいて様々な輻輳制御処理が実施されていた。
【０００４】
例えば、フレームリレー端末がＡＴＭ多重化装置に接続されている場合には、多重化部での輻輳が検出されると、その情報を主制御部で吸い上げ、その後、主制御部からフレームリレー端末のインタフェース部に対して、多重化部の輻輳状態を通知することで、輻輳制御が行われていた。
【０００５】
なお、輻輳制御に関する技術文献としては、特開平７−１５４３６号公報、特開平７−１４７５９２号、特開平９−８３５６６号公報及び特開平９−２８４３３８号公報等が挙げられる。
【０００６】
【発明が解決しようとする課題】
しかしながら、上記従来の技術の輻輳通知方法ではソフトウエア処理によって、主制御部を介して輻輳制御の通知をフレームリレー端末とのインターフェース部へ伝達していたため、多重化部の輻輳検出からインタフェース制御部への伝達までにタイムラグが発生し、リアルタイムの輻輳制御が行えなかった。
【０００７】
本発明の目的は、ＡＴＭ多重化装置において、フレームリレー端末に対する輻輳制御をより迅速に実行することを可能とする輻輳通知方法、および、その方法を用いたＡＴＭ多重化装置を提供することにある。
【０００８】
【課題を解決するための手段】
上記目的を達成するために本発明は、ＡＴＭ多重化装置の多重化部と、フレームリレーインタフェース制御部間に専用の輻輳通知信号を設けたものである。このような構成によれば、前記多重化部のデータ蓄積媒体の輻輳状態を、専用の輻輳通知信号を介して、直接フレームリレーインタフェース部へ通知することが可能となるため、リアルタイムな輻輳制御を行うことができる。
【０００９】
また、上記目的を達成するために本発明は、情報端末と接続され、通信すべき情報を多重化しＡＴＭネットワークを介して伝送するためのＡＴＭ多重化装置において、前記情報端末とのインターフェースを行うインターフェース部と、前記情報端末からの情報を多重化する多重化部と、前記多重化部での輻輳状態を検出する輻輳状態検出部と、前記輻輳状態検出部で検出された輻輳状態を示す信号を生成して、前記インターフェース部へ出力する輻輳信号通知部とを備え、前記インターフェース部は、前記輻輳状態を示す信号を受け入れて、該信号が示す輻輳状態に応じて、前記情報端末に対する輻輳制御を実施することを特徴とする。
【００１０】
また、上記目的を達成するために本発明は、情報を多重化して伝送するＡＴＭ多重化装置での輻輳通知方法において、フレームリレーインタフェースの輻輳制御を行うために、当該ＡＴＭ多重化装置内に設けられた多重化部のデータ蓄積媒体の輻輳状態を示す信号を生成し、該生成した信号をフレームリレー端末とのインタフェース部にリアルタイムで出力することを特徴とする。
【００１１】
【発明の実施の形態】
本発明を適用したＡＴＭ多重化装置の一実施形態について、図面を参照して説明する。
【００１２】
本実施形態のＡＴＭ多重化装置２は、例えば図１に示すように、フレームリレー端末（ＦＲ端末）３やデータ端末４、および電話機６を収容するＰＢＸ５等のさまざまな情報装置を収容し、それぞれの情報単位をセル化して多重化し、ＡＴＭネットワーク１を介して相互通信を可能とするように構成される。
【００１３】
本実施形態のＡＴＭ多重化装置２の内部構成の一例を図２に示す。
【００１４】
ＡＴＭ多重化装置２は、当該ＡＴＭ多重化装置全体の監視および制御を行う主制御部２０、フレームリレー端末３とのインタフェース回路を持ち、フレームとセルの相互変換を行うフレームリレーインタフェース部２１、データ端末４とのインタフェース回路を持ち、さまざまな形式のデータとセルの相互変換を行うデータインタフェース部２２、ＰＢＸ５とのインタフェース回路を持ち、音声情報とセルの相互変換を行う音声インタフェース部２３、各インタフェース部のセルを多重化してＡＴＭネットワーク１に接続する高速多重化部２４、主制御部２０および各インタフェース部２１、２２、２３と高速多重化部２４間でセルの送受信を行う内部ＡＴＭバス２５とからなる。
【００１５】
次に、上記ＡＴＭ多重化装置２の構成のうち、本実施形態の特徴的構成となるフレームリレーインタフェース部２１および高速多重化部２４の構成例について、図３を用いて説明する。
【００１６】
本構成例は、フレームリレーインタフェース部２１と高速多重化部２４との間で専用の輻輳通知信号を設け、ソフトウエア処理をできるだけ介さずに輻輳通知を行うようにしたものである。
【００１７】
フレームリレーインタフェース部２１は、フレームリレー端末３とのインタフェース制御を行うフレームリレーインタフェース制御部２１１と、フレームとセルの相互変換を行い、内部ＡＴＭバス２５への送受信制御を行う内部セル送受信制御部２１２とを備える。フレームリレーインターフェース部２１は、以下に説明する輻輳通知信号や輻輳のレベルを示す識別信号とを受け入れて、予め定めた手順の輻輳制御を実施する。
【００１８】
高速多重化部２４は、内部ＡＴＭバス２５への送受信制御を行う内部セル送受信制御部２４１と、ＡＴＭネットワーク１とのインタフェース制御を行うＡＴＭインタフェース制御部２４７と、ＡＴＭインタフェース制御部２４７から受信したセルを蓄積する受信セル蓄積媒体２４２、内部ＡＴＭバス２５を介して上記図１に示した各インタフェース制御部２１、２２、２３から受信したセルを、ＡＴＭインタフェース制御部２４７を介してＡＴＭネットワーク１へ送信するために蓄積する送信セル蓄積媒体２４３と、送信セル蓄積媒体２４３の輻輳状態を検出し、該検出した輻輳状態を通知するための信号を生成して出力する送信セル蓄積媒体管理部２４４とを備える。
【００１９】
本例では、送信セル蓄積媒体２４３には送信セル蓄積媒体管理部２４４が接続され、送信セル蓄積媒体管理部２４４からは、送信セル蓄積媒体２４３の輻輳状態を通知する輻輳通知信号２４５と、輻輳状態が軽輻輳か重輻輳かを通知する軽輻輳／重輻輳識別信号２４６とが、フレームリレーインタフェース制御部２４１へ出力される。
【００２０】
本実施形態における輻輳検出及び通知方法と、該方法によって通知された輻輳に対する制御方法について、図４を参照して説明する。
【００２１】
送信セル蓄積媒体２４３には、あらかじめ軽輻輳境界２４８と、重輻輳境界２４９とが設定されているものとする。送信セル蓄積媒体管理部２４４では、これらの予め設定された軽輻輳境界２４８と重輻輳境界２４９を参照点として、輻輳状態を監視する。
【００２２】
内部ＡＴＭバス２５を介して図１に示した各インタフェース部２１，２２，２３から受信したセル４００は、送信セル蓄積媒体２２３に蓄積され、ＡＴＭインタフェース制御部２４７を介してＡＴＭネットワーク１へ送信される。
【００２３】
内部ＡＴＭバス２５のトラフィックが高くなり、送信セル蓄積媒体２４３に蓄積されるセルの量が軽輻輳境界２４８を越えると、送信セル蓄積媒体管理部２４４から輻輳通知信号２４５が出力され、また、軽輻輳／重輻輳識別信号２４６が軽輻輳であることを示す。フレームリレーインタフェース部２１では、フレームリレーインタフェース制御部２１１が輻輳通知信号２２５を検出し、軽輻輳／重輻輳識別信号２４６により軽輻輳と判断し、フレームリレー端末３に対して輻輳していることを示す信号を送出し、リアルタイムに軽輻輳制御を行う。
【００２４】
さらに内部ＡＴＭバスのトラフィックが高くなり、送信セル蓄積媒体２４３に蓄積されるセルの量が重輻輳境界２４９を越えると、送信セル蓄積媒体管理部２４４から出力される軽輻輳／重輻輳識別信号２４６が重輻輳であることを示す。フレームリレーインタフェース制御部２１１では、軽輻輳／重輻輳識別信号２４６が重輻輳であると判断し、フレームリレー端末３に対してリアルタイムに重輻輳制御を行う。
【００２５】
さらに、上記輻輳制御により、内部ＡＴＭバス２５のトラフィックが下がり、送信セル蓄積媒体２４３のセル蓄積量が正常範囲に戻ると、送信セル蓄積媒体管理部２４４では、輻輳通知信号２４５の出力を停止する。フレームリレーインタフェース制御部２１１では、輻輳通知信号２４５が無くなり、輻輳が解除されたと判断し、フレームリレー端末３に対する輻輳制御を停止する。
【００２６】
【発明の効果】
本発明によれば、ＡＴＭ多重化装置の多重化部における輻輳状態の検出によるフレームリレー端末に対する輻輳制御を、当該ＡＴＭ多重化装置の主制御部の介在無しに行うことが可能となるため、輻輳の発生から輻輳制御の開始までのタイムラグが無くなり、より迅速でリアルタイムの輻輳制御が可能となる。
【図面の簡単な説明】
【図１】ＡＴＭ多重化装置を用いたＡＴＭ通信ネットワークの相互関係を示すシステム構成図である。
【図２】ＡＴＭ多重化装置の内部構成の一例を示すブロック図である。
【図３】本発明によるＡＴＭ多重化装置の高速多重化部とフレームリレーインタフェース部間の機能構成を示すブロック図である。
【図４】本発明によるＡＴＭ多重化装置の高速多重化部における送信セル蓄積媒体の輻輳管理方法を示した説明図である。
【符号の説明】
１        ＡＴＭネットワーク
２        ＡＴＭ多重化装置
２０      ＡＴＭ多重化装置の主制御部
２１      ＡＴＭ多重化装置のフレームリレーインタフェース部
２１１    フレームリレーインタフェース制御部
２１２    フレームリレーインタフェース部の内部セル送受信制御部
２２      ＡＴＭ多重化装置のデータインタフェース部
２３      ＡＴＭ多重化装置の音声インタフェース部
２４      ＡＴＭ多重化装置の高速多重化部
２４１    高速多重化部の内部セル送受信制御部
２４２    高速多重化部の受信セル蓄積媒体
２４３    高速多重化部の送信セル蓄積媒体
２４４    高速多重化部の送信セル蓄積媒体管理部
２４５    輻輳通知信号
２４６    軽輻輳／重輻輳識別信号
２４７    高速多重化部のＡＴＭインタフェース制御部
２４８    送信セル蓄積媒体の軽輻輳境界
２４９    送信セル蓄積媒体の重輻輳境界
２５      ＡＴＭ多重化装置の内部ＡＴＭバス。
【図１】
0003805553.tif 000002
【図２】
0003805553.tif 000003
【図３】
0003805553.tif 000004
【図４】
0003805553.tif 000005